(57)【要約】  制御装置（１３）は、複数の蓄電池に放電させる電力の合計目標値を取得する目標値取得部（２４）と、各蓄電池の健康状態に関する情報を取得するＳＯＨ取得部（２１）と、前記合計目標値の電力を分配して各蓄電池に放電させる電力を前記複数の蓄電池の各々について決定する充電制御部（２２）と、を備え、前記充電制御部（２２）は、前記複数の蓄電池のうちの、第１の蓄電池および第２の蓄電池それぞれの前記健康状態を比較し、前記第２の蓄電池の健康状態が前記第１の蓄電池の健康状態よりも良い場合、前記第１の蓄電池に放電させる第１の電力よりも小さな第２の電力を前記第２の蓄電池に放電させる。
2012132397.tif 000002
【特許請求の範囲】
【請求項１】
複数の蓄電池に充電させる電力の合計目標値を取得する目標値取得部と、
各蓄電池の健康状態に関する情報を取得する状態取得部と、
前記合計目標値の電力を分配して各蓄電池に充電させる電力を、前記複数の蓄電池の各々について決定する電力制御部と、を備え、
前記電力制御部は、
前記複数の蓄電池のうちの、第１の蓄電池および第２の蓄電池それぞれの前記健康状態を比較し、前記第２の蓄電池の前記健康状態が前記第１の蓄電池の前記健康状態よりも良い場合、前記第１の蓄電池に充電させる第１の電力よりも小さな第２の電力を前記第２の蓄電池に充電させる、
電力制御装置。
【請求項２】
さらに、
所定の発電装置から供給される電力を入力して第１の前記蓄電池へと出力する少なくとも１つの電力変換器を備える第１の電力変換部の定格である第１の定格を取得する定格取得部を備え、
前記電力制御部は、
各蓄電池の前記健康状態に応じて、前記合計目標値と、第１の前記定格との大小関係を比較することにより、第１の前記蓄電池に充電させる前記第１の電力を、第１の前記定格および前記合計目標値のうちの小さい方の電力以下として決定する、
請求項１に記載の電力制御装置。
【請求項３】
前記定格取得部は、さらに、第２の前記蓄電池へと出力をする少なくとも１つの電力変換器を備える第２の電力変換部の定格である第２の定格を取得し、
前記電力制御部は、前記合計目標値よりも、第１の前記定格および第２の前記定格の合計値の方が小さい場合、第１の前記定格で、第１の前記電力変換部での電力変換により、第１の前記蓄電池を充電させ、第２の前記定格で、第２の前記電力変換部での電力変換により、第２の前記蓄電池を充電させる、
請求項２に記載の電力制御装置。
【請求項４】
前記電力制御部は、
前記合計目標値と、第１の前記定格とを比較し、
前記合計目標値が、第１の前記定格よりも大きい場合、第１の前記蓄電池に第１の前記定格で充電させる、
請求項２に記載の電力制御装置。
【請求項５】
前記電力制御部は、
前記合計目標値が、第１の前記定格よりも大きい場合、第２の前記蓄電池に、前記合計目標値から、第１の前記定格を差し引いた差分値の電力で充電させる、
請求項４に記載の電力制御装置。
【請求項６】
前記電力制御部は、
前記合計目標値が、第１の前記定格よりも小さい場合、前記第１の蓄電池に前記合計目標値の電力を充電させる、
請求項４に記載の電力制御装置。
【請求項７】
前記電力制御部は、
前記合計目標値が、第１の前記定格よりも小さい場合、前記第２の蓄電池に充電させる電力を０とする、
請求項４に記載の電力制御装置。
【請求項８】
それぞれの前記電力変換部には、前記定格が異なる複数の電力変換器が設けられており、
前記電力制御部は、
前記合計目標値と、前記複数の電力変換部の中のいずれかの前記電力変換器の定格との大小関係を求めることにより、前記複数の電力変換器のうちから、各蓄電池を充放電するときに用いる電力変換器を決定する、
請求項３に記載の電力制御装置。
【請求項９】
前記電力制御部は、さらに、
各々の前記電力変換部が用いられた場合の効率を取得し、取得される複数の前記効率に基づいて、前記複数の電力変換部のうちから、用いられる前記電力変換部を決定する、
請求項８に記載の電力制御装置。
【請求項１０】
前記蓄電池の健康状態に関する情報は、ＳＯＨ（State Of Health）で示され、
前記第１の蓄電池のＳＯＨよりも、前記第２の蓄電池のＳＯＨが、高い値で示される、
請求項１乃至請求項９のいずれか１項に記載の電力制御装置。
【請求項１１】
複数の蓄電池に充電させる電力の合計目標値を取得するステップと、
各蓄電池の健康状態に関する情報を取得するステップと、
前記合計目標値の電力を分配して各蓄電池に充電させる電力を、前記複数の蓄電池の各々について決定するステップと、を含み、
各蓄電池に充電させる電力を決定する前記ステップは、
前記複数の蓄電池のうちの、第１の蓄電池および第２の蓄電池それぞれの前記健康状態を比較し、前記第２の蓄電池の前記健康状態が前記第１の蓄電池の前記健康状態よりも良い場合、前記第１の蓄電池に充電させる第１の電力よりも小さな第２の電力を前記第２の蓄電池に充電させる、
電力制御装置の電力制御方法。
【請求項１２】
複数の蓄電池に充電させる電力の合計目標値を取得するステップと、
各蓄電池の健康状態に関する情報を取得するステップと、
前記合計目標値の電力を分配して各蓄電池に充電させる電力を、前記複数の蓄電池の各々について決定するステップと、を電力制御装置に実行させるプログラムであって、
各蓄電池に充電させる電力を決定する前記ステップは、
前記複数の蓄電池のうちの、第１の蓄電池および第２の蓄電池それぞれの前記健康状態を比較し、前記第２の蓄電池の前記健康状態が前記第１の蓄電池の前記健康状態よりも良い場合、前記第１の蓄電池に充電させる第１の電力よりも小さな第２の電力を前記第２の蓄電池に充電させる、
プログラム。
【請求項１３】
複数の蓄電池に充電させる電力の合計目標値を取得する目標値取得部と、
各蓄電池の健康状態に関する情報を取得する状態取得部と、
前記合計目標値の電力を分配して各蓄電池に充電させる電力を、前記複数の蓄電池の各々について決定する電力制御部としての機能を実現する集積回路であって、
前記電力制御部は、
前記複数の蓄電池のうちの、第１の蓄電池および第２の蓄電池それぞれの前記健康状態を比較し、前記第２の蓄電池の前記健康状態が前記第１の蓄電池の前記健康状態よりも良い場合、前記第１の蓄電池に充電させる第１の電力よりも小さな第２の電力を前記第２の蓄電池に充電させる、
集積回路。
【請求項１４】
複数の蓄電池に放電させる電力の合計目標値を取得する目標値取得部と、
各蓄電池の健康状態に関する情報を取得する状態取得部と、
前記合計目標値の電力を分配して各蓄電池に放電させる電力を、前記複数の蓄電池の各々について決定する電力制御部と、を備え、
前記電力制御部は、
前記複数の蓄電池のうちの、第１の蓄電池および第２の蓄電池それぞれの前記健康状態を比較し、前記第２の蓄電池の前記健康状態が前記第１の蓄電池の前記健康状態よりも良い場合、前記第１の蓄電池に放電させる第１の電力よりも小さな第２の電力を前記第２の蓄電池に放電させる、
電力制御装置。
【請求項１５】
複数の蓄電池と、
複数の前記蓄電池に充電させる電力の合計目標値を取得する目標値取得部と、
各蓄電池の健康状態に関する情報を取得する状態取得部と、
前記合計目標値の電力を分配して各蓄電池に充電させる電力を、前記複数の蓄電池の各々について決定する電力制御部と、を備え、
前記電力制御部は、
前記複数の蓄電池のうちの、第１の蓄電池および第２の蓄電池それぞれの前記健康状態を比較し、前記第２の蓄電池の前記健康状態が前記第１の蓄電池の前記健康状態よりも良い場合、前記第１の蓄電池に充電させる第１の電力よりも小さな第２の電力を前記第２の蓄電池に充電させる、
蓄電池ユニット。
【請求項１６】
複数の蓄電池と、
複数の前記蓄電池に放電させる電力の合計目標値を取得する目標値取得部と、
各蓄電池の健康状態に関する情報を取得する状態取得部と、
前記合計目標値の電力を分配して各蓄電池に放電させる電力を、前記複数の蓄電池の各々について決定する電力制御部と、を備え、
前記電力制御部は、
前記複数の蓄電池のうちの、第１の蓄電池および第２の蓄電池それぞれの前記健康状態を比較し、前記第２の蓄電池の前記健康状態が前記第１の蓄電池の前記健康状態よりも良い場合、前記第１の蓄電池に放電させる第１の電力よりも小さな第２の電力を前記第２の蓄電池に放電させる、
蓄電池ユニット。
【発明の詳細な説明】
【技術分野】
【０００１】
本発明は、蓄電池システムの充電制御または放電制御に関するものである。
【背景技術】
【０００２】
近年、一般家庭、オフィスビル、または、工場などの建物に蓄電池ユニットを設け、蓄電池ユニットに充電された電力を電気機器に供給するシステムが検討されている。このシステムでは、例えば、電力系統から供給される余剰電力、または、太陽光などの自然エネルギーを利用した発電システムで生成された電力などが蓄電池ユニットに充電される。【０００３】
これにより、系統からの電力だけでなく、自宅の蓄電池ユニットに充電された電力を用いて電気機器に電力を供給できるので、各建物の電気代、および、ＣＯ２の排出量を削減できる。【０００４】
従来、複数の蓄電池のそれぞれのＳＯＣ（Ｓｔａｔｅ  ｏｆ  Ｃｈａｒｇｅ；充電状態）を所定の範囲に揃えるよう充電または放電することで各蓄電池の充放電電力または放電電力を最大にする技術が知られている（例えば、特許文献１）。
【先行技術文献】
【特許文献】
【０００５】
【特許文献１】特開２０１０−２８８８６号公報
【発明の概要】
【発明が解決しようとする課題】
【０００６】
しかしながら、上記従来の技術では以下のような問題があった。【０００７】
即ち、蓄電池ユニットは、一般的に、蓄電池だけでなく蓄電池から入出力される電力を調整するための電力変換器を備える。電力変換器は、発電システムで発電された電力を蓄電池が充電可能な電力に調整する。また、電力変換器は、蓄電池から放電された電力を電力機器で消費できるように調整する。【０００８】
電力変換器は、定格の近傍で電力変換すると変換効率が良く、定格よりも小さい電力で電力変換するほど変換効率が悪くなることが知られている。【０００９】
一方、蓄電池は、小電力で充電または放電すると劣化しづらく、大電力で充電または放電すると劣化しやすい。特に充電時は劣化が顕著である。【００１０】
したがって、電力変換器の定格で充電または放電すると電力変換器の変換効率は向上するが、蓄電池は劣化がしやすくなる。一方、電力変換器の定格よりも小さな電力で充電または放電するほど蓄電池は劣化しづらくなるが、電力変換器の変換効率は低下する。【００１１】
上記従来技術では、各電池の充電状態（ＳＯＣ）のみ考慮し、上述のような充電時または放電時の電力の大きさは考慮されていない。また、ＳＯＣの充電状態に応じて各蓄電池を平均的に使用するため、各蓄電池の寿命が近くなる可能性が高い。その結果、ユーザは蓄電池ユニット全体を買い替える必要が発生する。【００１２】
そこで、本発明は、上記課題に鑑みてなされたものであり、蓄電池システム全体の寿命が短くなるのを防止しつつ、電力変換時の蓄電池システム全体の変換効率を向上させることを目的とする。
【課題を解決するための手段】
【００１３】
上記の課題を解決するために、本発明の一形態に係る電力制御装置は、複数の蓄電池に充電させる電力の合計目標値を取得する目標値取得部と、各蓄電池の健康状態に関する情報を取得する状態取得部と、前記合計目標値の電力を分配して各蓄電池に充電させる電力を前記複数の蓄電池の各々について決定する電力制御部と、を備え、前記電力制御部は、前記複数の蓄電池のうちの、第１の蓄電池および第２の蓄電池それぞれの前記健康状態を比較し、前記第２の蓄電池の健康状態が前記第１の蓄電池の健康状態よりも良い場合、前記第１の蓄電池に充電させる第１の電力よりも小さな第２の電力を前記第２の蓄電池に充電させる。【００１４】
なお、それぞれの電力変換部は、少なくとも１つの電力変換器を備えてもよい。例えば、このような電力変換部の定格は、例えば、それらの電力変換器の定格のうちで、最も高い定格であると理解されてもよい。【００１５】
なお、本発明は、装置として実現するだけでなく、このような装置が備える処理手段を備える集積回路、その装置を構成する処理手段をステップとする制御方法、または、それらステップをコンピュータに実行させるプログラムとして実現することもできる。
【発明の効果】
【００１６】
本発明によると、各蓄電池の健康状態（ＳＯＨ）に応じて前記目標値の電力を充電するための電力を前記複数の蓄電池の各々について決定する。換言すれば、各蓄電池の健康状態（ＳＯＨ）に応じて蓄電池の寿命および電力変換時の効率のどちらを優先するかを、前記電力変換器の定格値を用いて判断する。これにより、蓄電池システム全体の寿命が短くなるのを防止しつつ電力変換時の効率を向上できる。
【図面の簡単な説明】
【００１７】
【図１】図１は、実施の形態１に係る電力供給システムのシステム構成図である。
【図２】図２は、実施の形態１に係る制御装置の機能ブロック図である。
【図３】図３は、実施の形態１に係る制御装置の動作の１例を示すフローチャートである。
【図４】図４は、実施の形態２に係る制御装置の機能ブロック図である。
【図５】図５は、実施の形態２に係る制御装置の動作の１例を示すフローチャートである。
【図６】図６は、実施の形態２に係る制御装置の充電電力決定処理の動作の１例を示すフローチャートである。
【図７Ａ】図７Ａは、実施の形態２の概要を説明するための概念図である。
【図７Ｂ】図７Ｂは、実施の形態２の概要を説明するための概念図である。
【図７Ｃ】図７Ｃは、実施の形態２の概要を説明するための概念図である。
【図７Ｄ】図７Ｄは、実施の形態２の概要を説明するための概念図である。
【図８】図８は、実施の形態２の変形例に係る制御装置の充電電力決定処理の動作の１例を示すフローチャートである。
【図９】図９は、実施の形態３に係る蓄電池システムのシステム構成を示す図である。
【図１０】図１０は、実施の形態３に係る制御装置の充電電力決定処理の動作の１例を示すフローチャートである。
【図１１】図１１は、実施の形態３に係る制御装置の充電電力決定処理の動作の１例を示すフローチャートである。
【図１２Ａ】図１２Ａは、実施の形態３の概要を説明するための概念図である。
【図１２Ｂ】図１２Ｂは、実施の形態３の概要を説明するための概念図である。
【図１２Ｃ】図１２Ｃは、実施の形態３の概要を説明するための概念図である。
【図１２Ｄ】図１２Ｄは、実施の形態３の概要を説明するための概念図である。
【図１２Ｅ】図１２Ｅは、実施の形態３の概要を説明するための概念図である。
【図１３】図１３は、実施の形態３に係る制御装置の充電電力決定処理の動作の１例を示すフローチャートである。
【図１４Ａ】図１４Ａは、電力変換器の効率特性を示す図である。
【図１４Ｂ】図１４Ｂは、電力変換器の効率特性を示す図である。
【図１４Ｃ】図１４Ｃは、電力変換器の効率特性を示す図である。
【図１５Ａ】図１５Ａは、効率の表を示す図である。
【図１５Ｂ】図１５Ｂは、効率の表を示す図である。
【図１５Ｃ】図１５Ｃは、効率の表を示す図である。
【図１６】図１６は、第１の電力変換部、第１の蓄電池などを示す図である。
【図１７】図１７は、特定される効率を示す図である。
【図１８Ａ】図１８Ａは、電力変換器の効率特性を示す図である。
【図１８Ｂ】図１８Ｂは、電力変換器の効率特性を示す図である。
【図１８Ｃ】図１８Ｃは、電力変換器の効率特性を示す図である。
【図１９Ａ】図１９Ａは、効率の表を示す図である。
【図１９Ｂ】図１９Ｂは、効率の表を示す図である。
【図１９Ｃ】図１９Ｃは、効率の表を示す図である。
【図２０】図２０は、特定される効率を示す図である。
【図２１】図２１は、実施の形態３に係る電力供給システムのシステム構成図である。
【図２２】図２２は、実施の形態４に係る電力供給システムのシステム構成図である。
【発明を実施するための形態】
【００１８】
以下、本発明の実施の形態について、図面を参照して説明する。
【００１９】
本発明の一態様に係る電力制御装置は、複数の蓄電池に充電させる電力の合計目標値を取得する目標値取得部と、各蓄電池の健康状態に関する情報を取得する状態取得部と、前記合計目標値の電力を分配して各蓄電池に充電させる電力を、前記複数の蓄電池の各々について決定する電力制御部と、を備え、前記電力制御部は、前記複数の蓄電池のうちの、第１の蓄電池および第２の蓄電池それぞれの前記健康状態を比較し、前記第２の蓄電池の前記健康状態が前記第１の蓄電池の前記健康状態よりも良い場合、前記第１の蓄電池に充電させる第１の電力よりも小さな第２の電力を前記第２の蓄電池に充電させる電力制御装置である。
【００２０】
さらに、所定の発電装置から供給される電力を入力して第１の前記蓄電池へと出力する少なくとも１つの電力変換器を備える第１の電力変換部の定格である第１の定格を取得する定格取得部を備え、前記電力制御部は、各蓄電池の前記健康状態に応じて、前記合計目標値と、第１の前記定格との大小関係を比較することにより、第１の前記蓄電池に充電させる前記第１の電力を、第１の前記定格および前記合計目標値のうちの小さい方の電力以下として決定してもよい。
【００２１】
前記定格取得部は、さらに、第２の前記蓄電池へと出力をする少なくとも１つの電力変換器を備える第２の電力変換部の定格である第２の定格を取得し、前記電力制御部は、前記合計目標値よりも、第１の前記定格および第２の前記定格の合計値の方が小さい場合、第１の前記定格で、第１の前記電力変換部での電力変換により、第１の前記蓄電池を充電させ、第２の前記定格で、第２の前記電力変換部での電力変換により、第２の前記蓄電池を充電させてもよい。
【００２２】
前記電力制御部は、前記合計目標値と、第１の前記定格とを比較し、前記合計目標値が、第１の前記定格よりも大きい場合、第１の前記蓄電池に第１の前記定格で充電させてもよい。
【００２３】
前記充電制御部は、前記合計目標値が、第１の前記定格よりも大きい場合、第２の前記蓄電池に、前記合計目標値から、第１の前記定格を差し引いた差分値の電力で充電させてもよい。
【００２４】
前記電力制御部は、前記合計目標値が、第１の前記定格よりも小さい場合、前記第１の蓄電池に前記合計目標値の電力を充電させてもよい。
【００２５】
前記電力制御部は、前記合計目標値が、第１の前記定格よりも小さい場合、前記第２の蓄電池に充電させる電力を０としてもよい。
【００２６】
それぞれの前記電力変換部には、前記定格が異なる複数の電力変換器が設けられており、前記電力制御部は、前記合計目標値と、前記複数の電力変換部の中のいずれかの前記電力変換器の定格との大小関係を求めることにより、前記複数の電力変換器のうちから、各蓄電池を充放電するときに用いる電力変換器を決定してもよい。
【００２７】
前記電力制御部は、さらに、各々の前記電力変換部が用いられた場合の効率を取得し、取得される複数の前記効率に基づいて、前記複数の電力変換部のうちから、用いられる前記電力変換部を決定してもよい。
【００２８】
前記蓄電池の健康状態に関する情報は、ＳＯＨ（State Of Health）で示され、前記第１の蓄電池のＳＯＨよりも、前記第２の蓄電池のＳＯＨが、高い値で示されてもよい。
【００２９】
なお、本発明の一態様に係る電力制御装置としては、複数の蓄電池に放電させる電力の合計目標値を取得する目標値取得部と、各蓄電池の健康状態に関する情報を取得する状態取得部と、前記合計目標値の電力を分配して各蓄電池に放電させる電力を、前記複数の蓄電池の各々について決定する電力制御部と、を備え、前記電力制御部は、前記複数の蓄電池のうちの、第１の蓄電池および第２の蓄電池それぞれの前記健康状態を比較し、前記第２の蓄電池の前記健康状態が前記第１の蓄電池の前記健康状態よりも良い場合、前記第１の蓄電池に放電させる第１の電力よりも小さな第２の電力を前記第２の蓄電池に放電させる電力制御装置も挙げられる。
【００３０】
本発明の一態様に係る蓄電池ユニットとしては、複数の蓄電池と、複数の前記蓄電池に充電させる電力の合計目標値を取得する目標値取得部と、各蓄電池の健康状態に関する情報を取得する状態取得部と、前記合計目標値の電力を分配して各蓄電池に充電させる電力を、前記複数の蓄電池の各々について決定する電力制御部と、を備え、前記電力制御部は、前記複数の蓄電池のうちの、第１の蓄電池および第２の蓄電池それぞれの前記健康状態を比較し、前記第２の蓄電池の前記健康状態が前記第１の蓄電池の前記健康状態よりも良い場合、前記第１の蓄電池に充電させる第１の電力よりも小さな第２の電力を前記第２の蓄電池に充電させる蓄電池ユニットが挙げられる。
【００３１】
本発明の一態様に係る蓄電池ユニットとしては、複数の蓄電池と、複数の前記蓄電池に放電させる電力の合計目標値を取得する目標値取得部と、各蓄電池の健康状態に関する情報を取得する状態取得部と、前記合計目標値の電力を分配して各蓄電池に放電させる電力を、前記複数の蓄電池の各々について決定する電力制御部と、を備え、前記電力制御部は、前記複数の蓄電池のうちの、第１の蓄電池および第２の蓄電池それぞれの前記健康状態を比較し、前記第２の蓄電池の前記健康状態が前記第１の蓄電池の前記健康状態よりも良い場合、前記第１の蓄電池に放電させる第１の電力よりも小さな第２の電力を前記第２の蓄電池に放電させる蓄電池ユニットも挙げられる。
【００３２】
なお、これらの全般的または具体的な態様は、システム、方法、集積回路、コンピュータプログラムまたは記録媒体で実現されてもよく、システム、方法、集積回路、コンピュータプログラムまたは記録媒体の任意な組み合わせで実現されてもよい。
【００３３】
本発明の一実施の形態の電力制御装置は、各蓄電池１１ｂ、１２ｂの健康状態（ＳＯＨ：図１の情報１１ｂＬ、１２ｂＬ）に応じて、合計目標値の電力（図４、図７Ａ等における、目標値の電力２４ｘ）を充電するための電力を、複数の蓄電池１１ｂ、１２ｂの各々について決定する。換言すれば、各蓄電池の健康状態（ＳＯＨ）に応じて、蓄電池の寿命を優先するか、効率を優先するかを判断する。
【００３４】
これにより、蓄電池システム１０全体の寿命が短くなるのを防止しつつ電力変換の効率を向上できる。
【００３５】
例えば、ＳＯＨが低い蓄電池（例えば第１の蓄電池１１ｂ）は寿命が短くなり、一方、ＳＯＨが高い蓄電池（第２の蓄電池１２ｂ）の寿命が低下するのを防止できるので、各蓄電池１１ｂ、１２ｂの寿命を不均一にできる。その結果、全ての蓄電池の寿命が同時に尽きる場合に比べて、蓄電池システム１０の全体が停止する時間を短くすることができる。また、全ての蓄電池を一度に取替える必要がなくなるので、蓄電池システム１０の設備投資を抑制することがきる。
【００３６】
また、ＳＯＨが高い蓄電池（例えば第２の蓄電池１２ｂ）の充電時の電力変換の効率は低効率になるが、ＳＯＨが低い蓄電池（第１の蓄電池１１ｂ）の充電では、例えば、定格に近い比較的大きな電力で電力変換をさせるので、当該ＳＯＨが低い蓄電池の電力変換時の変換効率を高効率にできる。その結果、従来に比べて、蓄電池システム１０全体としての電力変換時の効率を向上できる。
【００３７】
しかも、充電量の合計目標値（図４、図７Ａ等における、目標値の電力２４ｘ）よりも各電力変換器１１ｔ、１２ｔの定格の合計値（図７Ａ等の電力４０）の方が大きい場合（図５のＳ０３４：ＮＯ）、取得した各電力変換器の定格の電力で、その電力が定格の電力変換器の電力変換で充電される蓄電池が充電される。これにより、何れの電力変換器での電力変換での充電も、その電力変換器の定格の電力で行うので、各電力変換器を高効率で動作させることができる。その結果、各電力変換器で発生する電力損失を削減できる。
【００３８】
ここで、一般に、蓄電池は大きな電力で充電されるほど寿命が低下すると言われている。本技術によると、健康状態が良い蓄電池ほど、小さな電力を充電する。これにより、蓄電池の健康状態が良い場合には、小さな電力で充電されるので、当該蓄電池の寿命が低下するのを防止できる。
【００３９】
換言すれば、健康状態が悪い蓄電池には、より大きな電力を充電することになるので、当該蓄電池の寿命が低下すると想定される。しかし、健康状態の悪い蓄電池の寿命は、健康状態の良い電池の寿命に比べて、比較的短いと想定される。従って、健康状態の悪い蓄電池を小さな電力で充電して、当該蓄電池の寿命が短くなるのを防止するよりも、健康状態の良い電池の寿命が低下するのを防止する方が、蓄電池システム全体として寿命を長くできる。
【００４０】
以下、本発明の各実施の形態について、図面を参照して説明する。なお、以下では、まず実施の形態１〜３において蓄電池システムの充電時の動作について詳細に説明し、放電時の動作については実施の形態４で説明する。
【００４１】
（実施の形態１）
図１は、実施の形態１に用いられる電力供給システム１０ｈのシステム構成図である。電力供給システム１０ｈは、蓄電池システム１０と、負荷１０ｊと、分電盤１０ｉと、電力系統１０ｋと、ＰＶ（Ｐｈｏｔｏｖｏｌｔａｉｃ  ｐｏｗｅｒ  ｇｅｎｅｒａｔｉｏｎ）１０ｐとを含んでいる。蓄電池システム１０は、例えば、一般家庭、マンション、オフィスビル、および、工場などの建物に設けられる。
【００４２】
蓄電池システム１０には、例えば、以下（i）〜（iii）の電力ＰＳＢが充電される。（i）発電所の発電装置により発電された、電力系統１０ｋからの電力、（ii）ＰＶ１０ｐで発電された電力、（iii）分電盤１０ｉを介した潮流電力ＰＳから負荷１０ｊが消費する電力ＰＬを差し引いた分の余剰電力。なお、これら（i）〜（iii）に限らず、蓄電池システム１０で充電可能な電力であればその他の電力が充電されても良いことは言うまでもない。
【００４３】
蓄電池システム１０は、制御装置１３、第１の蓄電池１１ｂ、第１の電力変換器１１ｔ、第２の蓄電池１２ｂ、および、第２の電力変換器１２ｔを備える。
【００４４】
第１の蓄電池１１ｂおよび第２の蓄電池１２ｂは、電力を蓄電する。
【００４５】
第１の電力変換器１１ｔおよび第２の電力変換器１２ｔは、それぞれに入力される電力を、第１の蓄電池１１ｂおよび第２の蓄電池１２ｂで充電可能な電力に変換する。第１の電力変換器１１ｔおよび第２の電力変換器１２ｔは、例えば、ＤＣ／ＤＣコンバータ、ＡＣ／ＤＣコンバータ、ＤＣ／ＡＣコンバータ、または双方向インバータなどで構成される。
【００４６】
第１の電力変換器１１ｔおよび第２の電力変換器１２ｔにより行われる電力変換の変換効率は、それぞれ、第１の電力変換器１１ｔおよび第２の電力変換器１２ｔの定格に近い電力で充電するほど高くなる。一方、充電するときの電力が、第１の電力変換器１１ｔおよび第２の電力変換器１２ｔの定格よりも小さくなるほど、それぞれ、変換効率が低下する。
【００４７】
制御装置１３は、潮流情報１０ｕに基づいて、制御を行う。制御装置１３は、その制御において、第１の蓄電池および第２の蓄電池に充電させる電力を制御する。
【００４８】
具体的には、制御装置１３は、潮流情報１０ｕに基づいて、第１の電力変換器１１ｔおよび第２の電力変換器１２ｔの各々に指令値１１ｔｃおよび指令値１２ｔｃを送信して、第１の電力変換器１１ｔおよび第２の電力変換器１２ｔを制御することにより、各蓄電池に充電させる電力を制御する。
【００４９】
潮流情報１０ｕは、例えば、外部に設けられたサーバ、または、本蓄電池システム１０ｈ全体を制御する所定の制御装置などから取得される。
【００５０】
なお、以下では、蓄電値システム１０が２個の蓄電池および２個の電力変換器を備える場合を例に説明するが、蓄電池および電力変換器の個数は、２個に限られず、任意の個数であってもよい。蓄電池を適宜増設した場合でも各実施の形態は適用可能である。
【００５１】
図２は、実施の形態１に係る制御装置１３の機能ブロック図である。図２において、制御装置１３は、ＳＯＨ取得部２１、充電制御部２２および目標値取得部２４を備える。
【００５２】
なお、制御装置１３は、これら、ＳＯＨ取得部２１、充電制御部２２、および目標値取得部２４以外のその他の機能ブロックを更に備えてもよい。例えば、図４で後述するように、制御装置１３は、定格情報取得部２６などを更に備えてもよい。
【００５３】
なお、制御装置１３は、例えば、ＣＰＵ（Central Processing Unit）、ＲＯＭ（Read Only Memory）、ＲＡＭ（Random Access Memory）などを備えるコンピュータなどである。ＳＯＨ取得部２１などのそれぞれの機能ブロックの機能は、例えば、このコンピュータがソフトウェアを実行することにより実現される機能などである。
【００５４】
また、制御装置１３は、それぞれの機能を実現する回路が設けられた集積回路（図略）が設けられてもよい。
【００５５】
ＳＯＨ取得部２１は、第１の蓄電池１１ｂおよび第２の蓄電池１２ｂの２つの蓄電池のそれぞれのＳＯＨ（Ｓｔａｔｅ  Ｏｆ  Ｈｅａｌｔｈ）を示すＳＯＨ情報を取得する。このＳＯＨは、当該分野において、蓄電池の健康状態、或いは、蓄電池の劣化状態を示す指標として、一般的に定義されている。
【００５６】
ＳＯＨの値は、例えば、その値が小さいほど、その蓄電池の残り寿命が短いこと示す。つまり、蓄電池のＳＯＨとは、その蓄電池が新品のときにおける定格容量に対するその蓄電池に満充電で蓄電される電力量の割合である。例えば、蓄電池の定格容量が５ｋＷｈの場合に、この蓄電池のある時点における満充電量が４ｋＷｈであった場合、この時点における当該蓄電池のＳＯＨはＳＯＨ＝４／５×１００＝８０％として計算される。
【００５７】
なお、このＳＯＨ情報は、各々の蓄電池１０ｂ（１〜ｎ）から取得しても良い（例えば、図１に示されるように、ｎ＝２）。この場合、各蓄電池は、ＳＯＨを算出する機能を有する。また、ＳＯＨ取得部２１が各蓄電池１０ｂのＳＯＨを算出する機能を有しても良い。
【００５８】
なお、ＳＯＨの算出方法は、当該分野において広く知られている算出方法であれば、どの算出方法でも適用できる。
【００５９】
充電制御部２２は、ＳＯＨ取得部２１で取得された各蓄電池のＳＯＨ情報に基づき、各蓄電池に充電させる電力を決定する。具体的には、充電制御部２２は、２つの蓄電池のＳＯＨを比較し、ＳＯＨの大きい方の蓄電池にＳＯＨの小さい方の蓄電池よりも小さな電力を充電させる。即ち、充電制御部２２は、健康状態の良い（劣化が進んでいない）蓄電池に健康状態の悪い（劣化が進んでいる）蓄電池よりも小さな電力を充電させる。
【００６０】
目標値取得部２４は、各蓄電池に充電させる、目標値の電力２４ｘ（図７Ａ、図７Ｂなど）を決定する。換言すれば、目標値の電力２４ｘとは、蓄電池システム１０に充電させるときの目標の充電電力である。
【００６１】
なお、例えば、目標値取得部２４により、電力系統１０ｋ（図１）と、蓄電池システム１０との間での潮流の情報である潮流情報１０ｕ（図４）が取得される。そして、目標値取得部２４は、取得された潮流情報１０ｕに基づいて、目標値の電力２４ｘを決定する。
【００６２】
つまり、例えば、住宅などに設けられる所定の制御装置などから、制御装置１３により、潮流の目標値が取得されてもよい。
【００６３】
そして、取得された潮流の目標値に、取得された潮流情報１０ｕにより特定される潮流が近付くように、先述された目標値の電力２４ｘが決定されてもよい。
【００６４】
なお、制御装置１３は、さらに、取得された潮流の目標値を保持する潮流目標値保持部２３（図４参照）を備えてもよい。そして、この潮流目標値保持部２３により保持される潮流の目標値に基づいて、上述の各蓄電池に充電させる、目標値の電力２４ｘを決定してもよい。
【００６５】
例えば、充電制御部２２は、比較的大きい第１の電力４Ｈ（図７Ａなど）として、決定された、目標値の電力２４ｘ以下の電力を、ＳＯＨが小さい方の蓄電池に充電させてもよい。そして、例えば、充電制御部２２は、比較的小さい第２の電力４Ｌとして、この第１の電力４Ｈが、目標値の電力２４ｘから差し引かれただけの電力（＝目標値−第１の電力４Ｈ）を、ＳＯＨが大きい方の蓄電池に充電させてもよい。
【００６６】
これにより、上述された各効果を得つつも、それぞれの蓄電池への充電の電力が合計された合計電力が、決定された、目標値の電力２４ｘにされる。
【００６７】
図３は、実施の形態１に係る制御装置１３の動作を示すフローチャートである。なお、本実施の形態では、第１の蓄電池１１ｂのＳＯＨが第２の蓄電池１２ｂのＳＯＨよりも小さい場合、即ち、第１の蓄電池１１ｂの方が第２の蓄電池１２ｂよりも健康状態が悪い場合を例に説明する。この場合、充電制御部２２は、蓄電池１２ｂに充電させる電力よりも大きな電力を、蓄電池１２ｂよりも健康状態の悪い蓄電池１１ａに充電させる。
【００６８】
まず、目標値取得部２４は、上述ように、潮流情報１０ｕに基づいて、各蓄電池に充電させる合計電力である目標値を取得する（Ｓ１１）。また、ＳＯＨ取得部２１は、ｎ個の蓄電池のうちの各々の蓄電池１０ｂからＳＯＨ情報を取得する（Ｓ１２）。このＳ１１およびＳ１２の順序は逆でも良いし、同時でもよい。
【００６９】
次に、充電制御部２２は、各蓄電池１０ｂのＳＯＨを比較することにより、各蓄電池１０ｂに充電させる電力を決定する（Ｓ１３）。
【００７０】
具体的には、Ｓ１３において、充電制御部２２は、各蓄電池１０ｂのＳＯＨを比較する。そして、健康状態の良い蓄電池ほど、より小さな電力を充電させるように、目標値に基づいて、蓄電池１０ｂに充電させる電力を決定する（Ｓ１３ａ）。２個の蓄電池について比較した場合、蓄電池１２ｂの方が、蓄電池１１ｂよりも健康状態が良いので、蓄電池１２ｂに充電させる電力の方が、より小さな電力となるように、蓄電池１１ｂおよび蓄電池１２ｂに充電させる電力をそれぞれ決定する。
【００７１】
次に、充電制御部２２は、決定した、各々の蓄電池１０ｂに充電させる電力を、その蓄電池１０ｂに充電させるための制御指令１１ｔｃおよび１２ｔｃを、各々の電力変換器１０ｔに送信する（Ｓ１３ｂ）。
【００７２】
これにより、大きいＳＯＨの蓄電池（例えば第２の蓄電池１２ｂ）では、比較的小さな電力で充電されるので、当該ＳＯＨの大きい蓄電池は、充電時に生じる蓄電池の劣化を抑制することができる。そのため、健康状態の良い蓄電池の残り寿命が短縮する幅を抑制することができる。
【００７３】
その結果、すべての蓄電池の寿命がほぼ同じタイミングで尽きて、蓄電池システム１０全体が稼働不能になるのを防止できる。
【００７４】
一方、小さいＳＯＨの蓄電池（第１の蓄電池１１ｂ）では、比較的大きな第１の電力の充電がされるので、その充電をする電力変換器１０ｔ（第１の電力変換器１１ｔ）で高い効率で電力変換できる。
【００７５】
これにより、２つの蓄電池の寿命が尽きる時期が同時になって（近くなって）、蓄電池の寿命が均一化されてしまうのを防止できる。
【００７６】
その結果、２つの蓄電池の寿命が尽きる時期が同じになって（近くなって）、蓄電池システム全体を新たに買い換えるなどのコストが生じてしまうのを回避できる。
【００７７】
（実施の形態２）
実施の形態１では、各蓄電池のＳＯＨ情報に基づいて各蓄電池に充電させる電力を決定した。実施の形態２では、各蓄電池のＳＯＨ情報（即ち、蓄電池の健康状態）に加え、各電力変換器の定格に基づいて各蓄電池に充電させる電力を決定する。
【００７８】
図４は、実施の形態２に係る制御装置１３の構成を示す機能ブロック図である。
【００７９】
図４において、制御装置１３は、図２に示す機能ブロックに加え、さらに、定格情報取得部２６を備える。
【００８０】
定格情報取得部２６（図４）は、それぞれの電力変換器（第１、第２の電力変換器１１ｔ、１２ｔ）の定格を特定してもよい。
【００８１】
ここで、例えば、特定される定格とは、その定格の電力変換器（例えば第１の電力変換器１１ｔ）による電力変換により、その電力変換器に対応する蓄電池（第１蓄電池１１ｂ）が充電される電力の最大値である。
【００８２】
なお、制御装置１３は、さらに、それぞれの定格情報を保持する定格情報保持部２５を備えてもよい。そして、定格情報取得部２６は、この定格情報保持部２５から、それぞれの電力変換器に対応する定格情報を取得してもよい。
【００８３】
なお、例えば、保持されるそれぞれの定格情報は、住宅における所定の制御装置など、制御装置１３の外部から取得された情報などでもよい。ここで、所定の制御装置は、先述の潮流の目標値を制御装置１３に送信する装置と同じでもよい。
【００８４】
そして、充電制御部２２は、それぞれの電力変換器に、特定された定格以下の電力を指令してもよい。また、例えば、充電制御部２２は、それぞれの電力変換器に、蓄電池システムに充電させる目標値の電力および電力変換器の定格の電力のうちの、より小さい方の電力以下の電力を指令してもよい。
【００８５】
これにより、電力変換器に指令される電力が、その電力変換器の定格より大きくなるのを防止できる。
【００８６】
以下、以上のように構成された制御装置１３の動作について説明する。
【００８７】
図５は、実施の形態２に係る制御装置１３の動作を示すフローチャートである。図５のフローチャートの処理において、充電制御部２２は、各蓄電池のＳＯＨ情報および電力変換器の定格に基づいて、各蓄電池に充電させる電力を決定する。
【００８８】
まず、充電制御部２２は、充電制御が必要であるときに（Ｓ０３１：Ｙｅｓ）、潮流情報１０に基づいて、各蓄電池に充電させる合計目標値の電力２４ｘ(図７Ａなど）を決定する（Ｓ０３２）。
【００８９】
次に、充電制御部２２は、それぞれの電力変換器の定格情報１１ｔｄ、１２ｔｄを特定する（Ｓ０３３）。なお、例えば、このＳ０３３で、それぞれの定格情報が、定格情報取得部２６により取得されてもよい。
【００９０】
充電制御部２２は、Ｓ０３２で決定した目標値の電力２４ｘが、特定された、それぞれの電力変換器の定格の合計値（図７Ａなど）以下であるか否かを判定する（Ｓ０３４）。
【００９１】
Ｓ０３４において、目標値の電力２４ｘが各電力変換器の定格の合計値よりも小さい場合（Ｓ０３４：ＮＯ）、それぞれの蓄電池（第１、第２の蓄電池１１ｂ、１２ｂ）に、その蓄電池に対応して設けられる電力変換器の定格で充電をさせる（Ｓ０３４ａ）。
【００９２】
これにより、決定された目標値の電力２４ｘが、各電力変換器の定格の合計値よりも小さい場合には、各電力変換器の定格で充電されるので、高い変換効率で充電できる。
【００９３】
一方、Ｓ０３４において、目標値の電力２４ｘが各電力変換器の定格の合計値よりも小さい場合（Ｓ０３４：Ｙｅｓ）、ＳＯＨ取得部２１は、それぞれの蓄電池のＳＯＨ情報を取得する（先述のＳ１２参照）。
【００９４】
次に、充電制御部２２は、取得したＳＯＨ情報および定格情報に基づいてそれぞれの蓄電池に充電させる電力を決定する（Ｓ０３６）。このＳ０３６の詳細については、図６にて後述する。
【００９５】
その後、充電制御部２２は、各蓄電池に決定した電力を充電させるための指令値を各電力変換器に送信することにより、各蓄電池に充電させる電力を制御する（Ｓ０３７）。
【００９６】
図６は、実施の形態２に係る制御装置１３の充電電力決定処理のフローチャートである。また、図７Ａ〜図７Ｄは、本実施の形態の概要を説明するための概念図である。図７Ａ〜図７Ｄのそれぞれは、電力のグラフである。実施の形態２に係る制御装置１３の充電電力決定処理について図６および図７Ａ〜図７Ｄを参照しながら説明する。
【００９７】
なお、図７Ａ〜図７Ｄのグラフのそれぞれにおいて、比較的大きな第１の電力４Ｈ、および、比較的小さな第２の電力４Ｌが示される。第１の電力４Ｈは、第２の電力４Ｌよりも大きな電力である。
【００９８】
なお、図７Ｂ、図７Ｄのグラフのそれぞれにおいて、第２の電力４Ｌは０である。これら図７Ｂ、図７Ｄでは、図示の便宜上、第２の電力４Ｌについて、模式的な図示がされる。
【００９９】
第１の実施形態で説明された第１の電力は、例えば、図７Ａ〜図７Ｄに示す第１の電力４Ｈである。そして、第１の実施形態で述べられた第２の電力は、例えば、図７Ａ〜図７Ｄに示す第２の電力４Ｌである。
【０１００】
以下、図６に示す制御装置１３の充電電力決定処理の各動作について説明する。
【０１０１】
図５のＳ０３６では、例えば、この図６のフローチャートの処理がされる。
【０１０２】
Ｓ０４１では、小さい方のＳＯＨの蓄電池と、大きい方のＳＯＨの蓄電池とがそれぞれ充電制御部２２により特定される（Ｓ１３ａ参照）。
【０１０３】
Ｓ０４２ａ、Ｓ０４２ｂ、および、Ｓ０４３ａ〜Ｓ０４３ｄ、Ｓ０３７では、特定された、小さい方のＳＯＨの蓄電池（例えば第１の蓄電池１１ｂ）に、比較的大きな第１の電力４Ｈでの充電をさせる制御（上述）が、充電制御部２２により行われる。
【０１０４】
そして、このＳ０４２ａ、Ｓ０４２ｂ、および、Ｓ０４３ａ〜Ｓ０４３ｄ、Ｓ０３７では、特定された、大きい方のＳＯＨの蓄電池（第２の蓄電池１２ｂ）に、比較的小さな第２の電力４Ｌでの充電をさせる制御が行われる（Ｓ１３ｂ参照）。
【０１０５】
これら図５、図６の詳細については、以下の説明で述べられる通りである。
【０１０６】
つまり、Ｓ０４２ａおよびＳ０４２ｂのそれぞれでは、決定された、目標値の電力２４ｘ（図７Ｂ、図７Ｄを参照）が、特定された、ＳＯＨが小さい方の電力変換器の定格４Ｈｄよりも大きいかどうかが、充電制御部２２により判定される。
【０１０７】
ここで、この定格４Ｈｄは、ＳＯＨが小さい方の蓄電池に充電される電力の最大値であり、上述された大きな第１の電力４Ｈの最大値である。
【０１０８】
そして、Ｓ０４３ｂおよびＳ０４３ｄのそれぞれでは、目標値の電力２４ｘが、この定格４Ｈｄよりも大きくないと判定される場合に（図７Ｂ、図７Ｄ、Ｓ０４２ａ：ＮＯ、Ｓ０４２ｂ：ＮＯ）、この目標値の電力２４ｘが、大きな第１の電力４Ｈとして決定され、小さな第２の電力４Ｌとして、０が決定される（図７Ｂ、図７Ｄ）。
【０１０９】
一方で、Ｓ０４３ａおよびＳ０４３ｃのそれぞれでは、決定された、目標値の電力２４ｘ（図７Ａ、図７Ｃを参照）が、定格４Ｈｄよりも大きいと判定される場合に（図７Ａ、図７Ｃ、Ｓ０４２ａ：ＹＥＳ、Ｓ０４２ｂ：ＹＥＳ）、大きな第２の電力４Ｈとして、この第２の電力４Ｈが充電される電力変換器の定格である定格４Ｈｄが決定される。この場合には、小さな第１の電力４Ｌとして、決定された、第２の電力４Ｈである定格４Ｈｄが、目標値の電力２４ｘから差し引かれた電力４Ｈｒが決定される（図７Ａ、図７Ｃ）。
【０１１０】
（変形例）
実施の形態２では、蓄電池の個数が２個の場合について説明したが、蓄電池の個数は、２個に限られず、任意の個数でもよい。以下では、蓄電池の個数がｎ個（ｎ≧２）の場合について説明する。
【０１１１】
図８は、実施の形態２の変形例に係る制御装置１３の充電電力決定処理のフローチャートである。図８は、蓄電池が３個の場合のフローチャートを例にしているが、以下では、蓄電池の個数をｎ個に一般化した場合について説明する。
【０１１２】
まず、充電制御部２２は、それぞれの蓄電池のＳＯＨを比較することにより各蓄電池のＳＯＨの大きさの順序を決定する。換言すれば、各蓄電池の健康状態の順序を決定する（Ｓ０６１）。
【０１１３】
なお、図８のＳ０６１：ＹＥＳでは、第１の蓄電池のＳＯＨ（ＳＯＨ１）が１番目の順序と特定され、第２の蓄電池のＳＯＨ（ＳＯＨ２）が２番目の順序と特定され、第３の蓄電池のＳＯＨ（ＳＯＨ３）が、３番目の順序と特定されるケースが一例として示される。
【０１１４】
次に、充電制御部２２は、以下の第１の処理、第２の処理…、第（ｎ−１）の処理を実行する。
【０１１５】
つまり、図８の例では、ｎ＝３のため、第１の処理（Ｓ０６２ｘ）と、第２の処理（Ｓ０６４ｘ）とが行われる。
【０１１６】
そして、第ｋの処理（ｋ＝１、２…、ｎ−１）では、ｋ番目の順序の蓄電池の充電の電力が決定される。
【０１１７】
つまり、第ｋの処理では、ｋ番目の順序〜ｎ番目の順序の蓄電池への充電の電力が合計された電力の目標値Ｘ（ｋ）に基づいた処理がされる。
【０１１８】
ここで、Ｘ（１）は、先述された、図５のＳ０３２で決定される、目標値の電力（図７Ａなどの目標値の電力２４ｘを参照）である。
【０１１９】
そして、Ｘ（ｋ＋１）は、Ｘ（ｋ）から、決定された、ｋ番目の順序の蓄電池の充電の電力が差し引かれた電力である。
【０１２０】
そして、第ｋの処理における第１ステップ（Ｓ０６２、Ｓ０６４）では、まず、目標値Ｘ（ｋ）が、第ｋの順序の蓄電池に対応する電力変換器の定格よりも大きいか否かが充電制御部２２により判定される。
【０１２１】
そして、第ｋの処理の第２のステップ（Ｓ０６３ｂ、Ｓ０６５ｂ）では、目標値Ｘ（ｋ）が、その定格よりも大きくないと判定される場合に（Ｓ０６２：ＮＯ、Ｓ０６４：ＮＯ）、第ｋの順序の蓄電池への充電の電力が、大きくないと判定された目標値Ｘ（ｋ）と決定される。
【０１２２】
なお、この第２のステップ（Ｓ０６３ｂ、Ｓ０６５ｂ）では、第ｋ＋１以降のそれぞれの順序の蓄電池への充電の電力が、０と決定される。
【０１２３】
一方で、第ｋの処理の第３のステップ（Ｓ０６３ａ、Ｓ０６５ａ）では、目標値Ｘ（ｋ）の方が大きいと判定される場合に（Ｓ０６２：ＹＥＳ、Ｓ０６４：ＹＥＳ）、第ｋの順序の蓄電池への充電の電力が、その蓄電池の定格の電力と決定される。
【０１２４】
なお、ｋ＝ｎ−１の場合には（Ｓ０６４ｘの場合）、この第３のステップ（Ｓ０６５ａ）では、第ｋ＋１（＝ｎ）の順序の蓄電池への充電の電力が、目標値Ｘ（ｋ）から、第ｋの順序の蓄電池に対応する電力変換器の定格の電力が差し引かれた電力と決定される。
【０１２５】
つまり、例えば、図示されるＳ０６５ａでは、第ｎ（＝３）の順序の充電での電力が、「（目標値−定格１−定格２）」と決定される。
【０１２６】
なお、例えば、Ｓ０６１：ＮＯの場合にも、このような、Ｓ０６１：ＹＥＳの場合の処理と同様の処理が行われてもよい。
【０１２７】
（実施の形態３）
図９は、第３の実施形態における電力供給システム１０ｈのシステム構成図である。
【０１２８】
第１の電力変換部９１ｔは、使用変換器切替部３１０と、第１の電力変換器３１１と、第２の電力変換器３１２とを備える。
【０１２９】
第１の電力変換器３１１は、定格４Ｈｄａ（図１２Ａ〜図１２Ｄ）の電力変換器である。
【０１３０】
第２の電力変換器３１２は、第１の電力変換器３１１の定格４Ｈｄａよりも小さい定格４Ｈｄｂ（図１２Ａ〜図１２Ｄを参照）の電力変換器である。
【０１３１】
使用変換器切替部３１０は、これら第１、第２の電力変換器３１１、３１２のうちで、当該使用変換器切替部３１０に対して指示された方の電力変換器を用いて充電させる。
【０１３２】
なお、第１の電力変換部１１ｔは、例えば、第１の電力変換器３１１および第２の電力変換器３１２を切り替えるためのスイッチ３１３、３１４が設けられる。
【０１３３】
そして、使用変換器切替部３１０は、これらスイッチ３１３、３１４のそれぞれのスイッチの状態を、そのスイッチが、第１の電力変換器３１１に接続される状態へと切り替えることにより、第１の電力変換器３１１による充電をさせてもよい。
【０１３４】
そして、使用変換器切替部３１０は、それぞれのスイッチの状態を、第２の電力変換器３１２に接続される状態へと切り替えることにより、第２の電力変換器３１２による充電をさせてもよい。
【０１３５】
第２の電力変換部９２ｔは、使用変換器切替部３２０と、第１の電力変換器３２１と、第２の電力変換器３２２とを備える。
【０１３６】
これら使用変換器切替部３２０等は、例えば、第１の電力変換部９１ｔにおける使用変換器切替部３１０等と同様であるので、詳しい説明は省略する。
【０１３７】
図１０は、実施の形態３に係る制御装置１３の充電電力決定処理のフローチャートである。
【０１３８】
なお、図１０のＳ０９ｇでは、「電力変換部１：１を選択し…」の語が示される。この語は、第１の電力変換部９１ｔにおける、第１の電力変換器３１１を選択することを表わす。なお、Ｓ０９ｇ以外の他の箇所での記載についても、適宜、この例と同様である。
【０１３９】
そして、例えば、図５のＳ０３６での処理として、図１０のフローチャートの処理が行われてもよい。
【０１４０】
Ｓ０９１では、比較的小さい方のＳＯＨの蓄電池と、比較的大きい方のＳＯＨの蓄電池とがそれぞれ特定される。
【０１４１】
Ｓ０９２およびＳ０９３では、決定された、目標値の電力２４ｘ（図１２Ａ〜図１２Ｅ、図５のＳ０３２などを参照）に基づく処理が行われる。
【０１４２】
ここで、第１の場合として、目標値の電力２４ｘが、第１の電力変換器３１１の定格４Ｈｄａよりも大きい場合（図１２Ａ、図１２Ｂ、Ｓ０９２：ＹＥＳ）がある。
【０１４３】
また、第２の場合として、目標値の電力２４ｘが、この定格４Ｈｄａ以下であり、かつ、第２の電力変換器３１２の定格４Ｈｄｂよりも大きい場合（図１２Ｃ、図１２Ｄ、Ｓ０９２：ＮＯ、かつ、Ｓ０９３：ＹＥＳ）がある。
【０１４４】
また、第３の場合として、目標値の電力２４ｘが、第２の電力変換器３１２の定格４Ｈｄｂ以下である場合（図１２Ｅ、Ｓ０９２：ＮＯ、かつ、Ｓ０９３：ＮＯ）がある。
【０１４５】
Ｓ０９２およびＳ９３では、これら第１〜第３の場合のうちの、何れの場合であるかが充電制御部２２により判定される。
【０１４６】
図１２Ａ〜図１２Ｅのそれぞれは、電力のグラフである。
【０１４７】
Ｓ０９ｃでは、第２の電力変換器３１２の定格４Ｈｄｂ以下と判定された第３の場合に（Ｓ０９２：ＮＯ、かつ、Ｓ０９３：ＮＯ）、第１、第２の電力変換部９１ｔ、９２ｔのうちで、第１の電力変換部９１ｔのみを用い、かつ、第１の電力変換部９１ｔの第１、第２の電力変換器３１１、３１２のうちで、第２の電力変換器３１２を用いることが決定される（Ｓ０９ｐ、図１２Ｅ）。そして、この第２の電力変換器３１２による充電の電力として、目標値の電力２４ｘが決定される（Ｓ０９ｐ、図１２Ｅ）。
【０１４８】
なお、この第３の場合に決定される電力は、例えば、目標値の電力２４ｘではなく、第２の電力変換器３１２の定格の電力などでもよい。
【０１４９】
他方、目標値の電力２４ｘが、第２の電力変換器３１２の定格４Ｈｄｂ以下と判定されない第１、第２の場合には（Ｓ０９２：ＹＥＳ、Ｓ０９３：ＹＥＳ）、次の処理がされる。
【０１５０】
つまり、目標値の電力２４ｘが、第１の電力変換器３１２の定格４Ｈｄａよりも大きいと判定される第１の場合には（図１２Ａ、図１２Ｂ、Ｓ０９２：ＹＥＳ）、第１の電力変換部９１ｔを用い、かつ、第１の電力変換部９１ｔの第１、第２の電力変換器３１１、３１２のうちで、第１の電力変換器３１１を用いることが決定される（Ｓ０９ｄ、図１２Ａ、図１２Ｂ）。そして、用いられる第１の電力変換器３１１による充電の電力として、第１の電力変換器３１１の定格４Ｈｄａが決定される（図１２Ａ、図１２Ｂ、Ｓ０９ｄ）。
【０１５１】
そして、次に、目標値の電力２４ｘから、決定された、第１の電力変換器３１１の定格４Ｈｄａが差し引かれた電力４Ｈｒ（図１２Ａ、図１２Ｂ、Ｓ０９ｅに示される「目標値−定格１１」を参照）が、第２の電力変換部９２ｔにおける第２の電力変換器３２２の定格４Ｌｄｂよりも大きいか否かが判定される（Ｓ０９ｅ）。
【０１５２】
そして、定格４Ｌｄｂよりも大きいと判定される場合には（Ｓ０９ｅ：ＹＥＳ）、第１の電力変換器３１１とともに、第２の電力変換部９２ｔにおける第１の電力変換器３２１を用いることが決定される（図１２Ａ）。
【０１５３】
このときに、決定される、第１の電力変換器３２１での充電の電力は、上述された、差し引かれた電力４Ｈｒである（図１２Ａ）。
【０１５４】
一方で、上述された、第１の電力変換器３１１の定格４Ｈｄａが差し引かれた電力４Ｈｒが、第２の電力変換器３２２の定格４Ｌｄｂ以下であると判定される場合には（Ｓ０９ｅ：ＮＯ）、第１の電力変換器３１１とともに、第２の電力変換部９２ｔにおける第２の電力変換器３２２を用いることが決定される（図１２Ｂ）。
【０１５５】
このときにも、決定される、第２の電力変換器３２２での充電の電力は、上述された、差し引かれた電力４Ｈｒである（図１２Ｂ）。
【０１５６】
一方で、目標値の電力２４ｘが、第１の電力変換器３１２の定格４Ｈｄａ以下であり、かつ、第２の電力変換器３１２の定格４Ｈｄｂ（図１２Ｃ、図１２Ｄ）よりも大きいと判定される第２の場合には（図１２Ｃ、図１２Ｄ、Ｓ０９３：ＹＥＳ）、第１の電力変換部９１ｔを用い、かつ、第１の電力変換部９１ｔにおける第２の電力変換器３１２を用いることが決定される（Ｓ０９ｊ、図１２Ｃ、図１２Ｄ）。そして、用いられる第２の電力変換器３１２による充電の電力として、第２の電力変換器３１２の定格４Ｈｄｂが決定される（図１２Ｃ、図１２Ｄ、Ｓ０９ｊ）。
【０１５７】
そして、次に、目標値の電力２４ｘから、決定された、第２の電力変換器３１２の定格４Ｈｄｂが差し引かれた電力４Ｈｒ（図１２Ｃ、図１２Ｄ、Ｓ０９ｋに示される「目標値−定格１２」を参照）が、第２の電力変換部９２ｔにおける第２の電力変換器３２２の定格４Ｌｄｂよりも大きいか否かが判定される（Ｓ０９ｋ）。
【０１５８】
そして、定格４Ｌｄｂよりも大きいと判定される場合には（Ｓ０９ｋ：ＹＥＳ）、第２の電力変換器３１２とともに、第２の電力変換部９２ｔにおける第１の電力変換器３２１を用いることが決定される（図１２Ｃ、Ｓ０９ｌ）。
【０１５９】
このときに、決定される、第１の電力変換器３２１での充電の電力は、上述された、差し引かれた電力４Ｈｒ（図１２Ｃ）である。
【０１６０】
一方で、上述された、第２の電力変換器３１２の定格４Ｈｄｂが差し引かれた電力４Ｈｒが、第２の電力変換器３２２の定格４Ｌｄｂ以下であると判定される場合には（Ｓ０９ｋ：ＮＯ）、第２の電力変換器３１２とともに、第２の電力変換部９２ｔにおける第２の電力変換器３２２を用いることが決定される（図１２Ｄ）。
【０１６１】
このときにも、決定される、第２の電力変換器３２２での充電の電力は、上述された、差し引かれた電力４Ｈｒである（図１２Ｄ）。
【０１６２】
図１１は、実施の形態３に係る制御装置１３の充電電力決定処理のフローチャートである。
【０１６３】
なお、例えば、図５のＳ０３６での処理として、図１１のフローチャートの処理が行われてもよい。
【０１６４】
つまり、目標値の電力２４ｘが、第１の電力変換部９１ｔの第１の電力変換器３１１の定格４Ｈｄａ以下で（Ｓ０９２：ＮＯ）、かつ、第２の電力変換器３１２の定格４Ｈｄｂより大きいと判定される場合に（Ｓ０９３：ＹＥＳ）、図１１のＳ０９ｂの処理がされてもよい。
【０１６５】
すなわち、Ｓ０９ｂの処理では、第１、第２の電力変換部９１ｔ、９２ｔのうちで、第１の電力変換部９１ｔのみを用い、かつ、第１の電力変換部９１ｔの第１の電力変換器３１１を用いることが決定されてもよい（Ｓ１０１）。そして、この第１の電力変換器３１１による充電の電力として、目標値の電力２４ｘが決定されてもよい。
【０１６６】
図１３は、算出される効率に基づいた処理のフローチャートである。
【０１６７】
また、目標値の電力２４ｘが、第１の電力変換部９１ｔの第１の電力変換器３１１の定格４Ｈｄａ以下で（Ｓ０９２：ＮＯ）、かつ、第２の電力変換器３１２の定格４Ｈｄｂより大きいと判定される場合に（Ｓ０９３：ＹＥＳ）、図１３のＳ０９ｂの処理がされてもよい。
【０１６８】
ここで、充電の種類としては、その充電に用いられる１以上の充電器が、第１の電力変換部９１ｔのみである種類と、第２の電力変換部９２ｔのみである種類と、第１、第２の電力変換部９１ｔ、９２ｔの両方である種類とがある。
【０１６９】
そして、それぞれの種類において、その種類における、用いられる１以上の電力変換部のそれぞれでの、用いられる電力変換器として、複数の電力変換器（第１、第２の電力変換器３１１、３１２、または、第１、第２の電力変換器３２１、３２２）がある。
【０１７０】
つまり、充電の種類と、その種類で用いられるそれぞれの電力変換部で用いられる電力変換器の組み合わせとが、それぞれ、充電制御部２２により決定される。
【０１７１】
そして、その組み合わせで用いられるそれぞれの電力変換器で充電される電力が、充電制御部２２により決定される。
【０１７２】
つまり、用いられる電力変換器の個数（＝用いられる電力変換部の個数）と同じ個数だけの、１以上の電力が決定される。
【０１７３】
なお、決定される、それら１以上の電力が合計された電力は、例えば、先述された目標値の電力２４ｘに等しい電力である。
【０１７４】
こうして、充電の種類と、用いられる電力変換器の組み合わせと、それぞれの電力変換器での充電の電力とからなる、充電における条件が決定される。
【０１７５】
そして、Ｓ０９ｂのＳ１２１では、１以上の条件に含まれるそれぞれの条件について、その条件での充電がされる際の効率が、充電制御部２２により特定される。
【０１７６】
特定される効率は、例えば、その充電で用いられるそれぞれの電力変換器での、電力変換の効率の平均値（または合計値）などである。
【０１７７】
Ｓ１２２では、Ｓ１２１で特定される１以上の効率のうちで、最も高い効率が特定された条件が、充電制御部２２により特定される。
【０１７８】
これにより、特定される、最も高い効率が特定された条件における、充電の種類と、用いられる電力変換器の組み合わせと、それぞれの電力変換器での充電の電力とが、それぞれ、決定される（Ｓ１２３ａ〜Ｓ１２３ｃ）。
【０１７９】
なお、例えば、図１３で示されるＳ１２３ａでは、決定される条件における、充電の種類が、第１の電力変換部９１ｔのみを用いる種類であり、かつ、この第１の電力変換部９１ｔで用いられる電力変換器が、第１の電力変換器３１１であり、かつ、この第１の電力変換器３１１での充電の電力が、目標値の電力２４ｘと同じ電力である場合が示される。
【０１８０】
図１４Ａ〜図１４Ｃのそれぞれは、電力変換器における電力変換の効率のグラフである。
【０１８１】
例えば、第１の電力変換部９１ｔの第１の電力変換器３１１の特性は、図１４Ａのグラフでの効率が生じる特性である。
【０１８２】
そして、例えば、第１の電力変換部９１ｔの第２の電力変換器３１２の特性、および、第２の電力変換部９２ｔの第１の電力変換器３２１の特性のそれぞれが、図１４Ｂのグラフの効率が生じる特性である。
【０１８３】
そして、例えば、第２の電力変換部９２ｔの第２の電力変換器３２２の特性が、図１４Ｃの効率が生じる特性である。
【０１８４】
図１５Ａ〜図１５Ｃのそれぞれは、電力変換器の効率の表である。
【０１８５】
図１５Ａ〜図１５Ｃでは、それぞれ、図１４Ａ〜図１４Ｃのグラフにおける効率の表が示される。
【０１８６】
図１６は、蓄電池１１ｂおよび第１の電力変換部９１ｔなどを示す図である。
【０１８７】
図１５Ａ〜図１５Ｃのそれぞれの表では、「出力／入力」との欄において、出力電力３１１ａ（図１６）と、入力電力３１１ｂとが示される。
【０１８８】
入力電力３１１ｂは、電力変換器（図１６の例では、第１の電力変換部９１ｔにおける、第１の電力変換器３１１）により電力変換がされる前の電力である。
【０１８９】
そして、出力電力３１１ａは、電力変換がされた後の電力である。
【０１９０】
図１７は、特定される効率などを示す図である。
【０１９１】
図１７の（ａ）欄では、目標値の電力２４ｘが、３ｋＷである場合の例が示され（ｘ＝３）、（ｂ）欄では、２ｋＷである場合の例が示される（ｘ＝２）。
【０１９２】
例えば、図１７の（ａ）欄における（１）欄では、図示されるように、次の場合が示される。その場合には、充電の種類として、第１の電力変換部９１ｔのみを用いる種類が決定され、かつ、電力変換部９１ｔで用いられる電力変換器として、第１の電力変換器３１１が決定され、かつ、その第１の電力変換器３１１での充電の電力が、目標値の電力２４ｘと同じ電力である３ｋＷと決定される。
【０１９３】
そして、この（１）欄では、この場合における効率が、０．４ｋＷの損失での効率であることが示される。
【０１９４】
同様に、（２）欄では、（１）欄での、上記の条件とは別の条件での効率が、０．４ｋＷの損失での効率であり、（３）欄では、（１）欄および（２）欄の条件の何れとも異なる条件での効率が、０．３ｋＷの損失での効率であることが示される。
【０１９５】
これらの、（１）欄〜（３）欄の３つの条件のうちのそれぞれの条件での効率が特定される（図１３のＳ１２１）。これらの効率のうちから、（３）欄での効率が、最も高いことが特定され（Ｓ１２２）、充電に用いられる条件として、（３）欄での条件が決定される。
【０１９６】
図１７の（ａ）欄の最下部では、「…（３）を選択する」との文字が示されて、（３）欄での条件が決定されることが模式的に示される。
【０１９７】
なお、（ｂ）欄についても、上述された（ａ）欄と同様であるので、詳しい説明は省略される。
【０１９８】
図１８Ａ〜図１８Ｃのそれぞれは、電力変換器の効率のグラフである。
【０１９９】
図１９Ａ〜図１９Ｃのそれぞれは、電力変換器の効率の表である。
【０２００】
図２０は、特定される効率などを示す図である。
【０２０１】
このように、それぞれの電力変換器の効率は、先述された、図１４Ａ〜図１４Ｃおよび図１５Ａ〜図１５Ｃでの通りではなくて、図１８Ａ〜図１８Ｃおよび図１９Ａ〜図１９Ｃでの通りでもよい。そして、このような、図１８Ａ〜図１８Ｃおよび図１９Ａ〜図１９Ｃで示される通りである場合などにおいて、図１３で示される処理（図２０参照）が行われてもよい。
【０２０２】
図２１は、取得される、出力電力（図１６の出力電力３１１ａ）の情報１１ｔｂ、１２ｔｂ、および、入力電力（図１６の入力電力３１１ｂ）の情報１１ｔａ、１２ｔａなどを示す図である。
【０２０３】
充電制御部２２は、これらの、情報１１ｔｂ、１２ｔｂおよび情報１１ｔａ、１２ｔａを取得してもよい。
【０２０４】
情報１１ｔａは、第１の電力変換部９１ｔの入力電力３１１ｂを特定する情報である。
【０２０５】
情報１１ｔｂは、第１の電力変換部９１ｔの出力電力３１１ａを特定する情報である。
【０２０６】
情報１２ｔａは、第２の電力変換部９２ｔの入力電力３１１ｂを特定する情報である。
【０２０７】
情報１２ｔｂは、第２の電力変換部９２ｔの出力電力３１１ａを特定する情報である。
【０２０８】
そして、第１の電力変換部９１ｔでの電力変換の効率として、取得された情報１１ｔａにより特定される入力電圧３１１ｂに対する、情報１１ｔｂにより特定される出力電力３１１ａの割合が、充電制御部２２により特定されてもよい（図１５Ａ〜図１５Ｃ、図１７などを参照）。
【０２０９】
そして、第２の電力変換部９２ｔでの電力変換の効率として、取得された情報１２ｔａの入力電圧３１１ｂに対する、情報１２ｔｂの出力電力３１１ａの割合が特定されてもよい。
【０２１０】
例えば、こうして特定される、それぞれの電力変換部（その電力変換部における電力変換器）での電力変換での効率に基づいて、上述された処理が行われてもよい。
【０２１１】
（実施の形態４）
図２２は、実施の形態４に係る蓄電池システム１０のシステム構成を示す図である。
【０２１２】
蓄電池システム１０は、第１の電力変換器１１ｔｘと、第２の電力変換器１２ｔｘとを備える。
【０２１３】
第１の電力変換器１１ｔｘでの電力変換がされる際に、当該第１の電力変換器１１ｔｘに指令される電力が、第１の蓄電池１１ｔにより放電される。
【０２１４】
第２の電力変換器１２ｔｘでの電力変換がされる際に、当該第２の電力変換器１２ｔｘに指令される電力が、第２の蓄電池１２ｔに放電される。
【０２１５】
これら、第１の電力変換器１１ｔｘおよび第２の電力変換器１２ｔｘは、例えば。ＤＣ／ＤＣコンバータ、ＤＣ／ＡＣコンバータ、ＡＣ／ＤＣコンバータ、または双方向インバータなどで構成される。
【０２１６】
それぞれの蓄電池における、放電に際しての劣化も、放電される電力が比較的大きい第１の電力である場合には、比較的大きな劣化であり、比較的小さい第２の電力である場合には、比較的小さな劣化である。
【０２１７】
そこで、蓄電池システム１０においては、上述された、充電時における処理と同様の処理が、放電時において行われてもよい。
【０２１８】
例えば、充電制御部２２などのそれぞれの機能ブロックにより、上述された、充電時の処理と同様の処理が、放電時にも行われてもよい。
【０２１９】
例えば、充電制御部２２は、充電時の処理と、放電時の処理との両方を行う電力制御部でもよい。なお、目標値取得部２４などの他の機能ブロックについても、それぞれ、適宜同様である。
【０２２０】
なお、このように、それぞれの電力変換部は、少なくとも１つの電力変換器を備えてもよい。例えば、このような電力変換部の定格は、例えば、それらの電力変換器の定格のうちで、最も高い定格であると理解されてもよい。
【０２２１】
なお、本発明は、装置、システム、集積回路などとして実現できるだけでなく、その装置を構成する処理手段をステップとする方法として実現したり、それらステップをコンピュータに実行させるプログラムとして実現したり、そのプログラムを記録したコンピュータ読み取り可能なＣＤ−ＲＯＭなどの記録媒体として実現したり、そのプログラムを示す情報、データ又は信号として実現したりすることもできる。そして、それらプログラム、情報、データ及び信号は、インターネット等の通信ネットワークを介して配信してもよい。ここで、上記各実施の形態の電力制御装置を実現するソフトウェアは、次のようなプログラムである。
【０２２２】
すなわち、このプログラムは、例えば、複数の蓄電池に充電させる電力の合計目標値を取得するステップと、各蓄電池の健康状態に関する情報を取得するステップと、前記合計目標値の電力を分配して各蓄電池に充電させる電力を、前記複数の蓄電池の各々について決定するステップと、を電力制御装置に実行させるプログラムであって、各蓄電池に充電させる電力を決定する前記ステップは、前記複数の蓄電池のうちの、第１の蓄電池および第２の蓄電池それぞれの前記健康状態を比較し、前記第２の蓄電池の前記健康状態が前記第１の蓄電池の前記健康状態よりも良い場合、前記第１の蓄電池に充電させる第１の電力よりも小さな第２の電力を前記第２の蓄電池に充電させるプログラムである。
【産業上の利用可能性】
【０２２３】
各実施形態によると、各蓄電池の健康状態（ＳＯＨ）に応じて、目標値の電力を充電または放電するための電力を前記複数の蓄電池の各々について決定する場合に有用である。
【符号の説明】
【０２２４】
１０  蓄電池システム
１１ｂ  第１の蓄電池
１１ｔ  第１の電力変換器
１２ｂ  第２の蓄電池
１２ｔ  第２の電力変換器
１３  制御装置
２１  ＳＯＨ取得部
２２  充電制御部
２４  目標値取得部
２６  定格情報取得部
【図１】
2012132397.tif 000003
【図２】
2012132397.tif 000004
【図３】
2012132397.tif 000005
【図４】
2012132397.tif 000006
【図５】
2012132397.tif 000007
【図６】
2012132397.tif 000008
【図７Ａ】
2012132397.tif 000009
【図７Ｂ】
2012132397.tif 000010
【図７Ｃ】
2012132397.tif 000011
【図７Ｄ】
2012132397.tif 000012
【図８】
2012132397.tif 000013
【図９】
2012132397.tif 000014
【図１０】
2012132397.tif 000015
【図１１】
2012132397.tif 000016
【図１２Ａ】
2012132397.tif 000017
【図１２Ｂ】
2012132397.tif 000018
【図１２Ｃ】
2012132397.tif 000019
【図１２Ｄ】
2012132397.tif 000020
【図１２Ｅ】
2012132397.tif 000021
【図１３】
2012132397.tif 000022
【図１４Ａ】
2012132397.tif 000023
【図１４Ｂ】
2012132397.tif 000024
【図１４Ｃ】
2012132397.tif 000025
【図１５Ａ】
2012132397.tif 000026
【図１５Ｂ】
2012132397.tif 000027
【図１５Ｃ】
2012132397.tif 000028
【図１６】
2012132397.tif 000029
【図１７】
2012132397.tif 000030
【図１８Ａ】
2012132397.tif 000031
【図１８Ｂ】
2012132397.tif 000032
【図１８Ｃ】
2012132397.tif 000033
【図１９Ａ】
2012132397.tif 000034
【図１９Ｂ】
2012132397.tif 000035
【図１９Ｃ】
2012132397.tif 000036
【図２０】
2012132397.tif 000037
【図２１】
2012132397.tif 000038
【図２２】
2012132397.tif 000039
【手続補正書】
【提出日】平成24年10月9日(2012.10.9)
【手続補正１】
【補正対象書類名】特許請求の範囲
【補正対象項目名】全文
【補正方法】変更
【補正の内容】
【特許請求の範囲】
【請求項１】
第１の蓄電池および第２の蓄電池を含む複数の蓄電池に充電させる電力の目標値を取得する第１の取得部と、
各蓄電池の健康状態に関する情報を取得する第２の取得部と、
外部から供給される電力を所定の電力に調整して前記所定の電力を蓄電池に充電する電力変換器の定格情報を記憶する記憶部と、
前記第１の蓄電池の方が前記第２の蓄電池よりも健康状態が悪い場合、前記第１の蓄電池の充電に使用する第１の充電用電力変換器の定格と前記目標値とを比較し、前記第１の充電用電力変換器の定格が前記目標値よりも大きいときは、前記目標値に相当する電力を全て前記第１の蓄電池に充電させ、前記第１の充電用電力変換器の定格が前記目標値よりも小さいときは、前記目標値のうちで前記第１の充電用電力変換器の定格に相当する電力を前記第１の蓄電池に充電させ、前記目標値と第１の充電用電力変換器の定格との差分電力を前記第２の蓄電池に充電させる充電制御部と、を備える
電力制御装置。
【請求項２】
前記第１の蓄電池には、前記第１の充電用電力変換器を含む、定格が異なる複数の電力変換器が接続され、
前記充電制御部は、
前記複数の電力変換器の中で、前記目標値よりも小さい定格の電力変換器が前記第１の蓄電池に接続されている場合は、当該電力変換器の中で前記目標値との差が最も小さい定格の電力変換器を前記第１の充電用電力変換器として選択する、
請求項１に記載の電力制御装置。
【請求項３】
前記充電制御部は、
前記複数の電力変換器の中で、前記目標値よりも大きい定格の電力変換器のみ前記第１の蓄電池に接続されている場合は、前記目標値との差が最も小さい定格の電力変換器を前記第１の充電用電力変換器として選択する、
請求項２に記載の電力制御装置。
【請求項４】
前記第２の蓄電池には、定格が異なる複数の電力変換器が接続され、
前記充電制御部は、
前記第１の充電用電力変換器の定格が前記目標値よりも小さい場合は、前記第２の蓄電池に接続された前記複数の電力変換器の中で、前記目標値と前記第１の充電用電力変換器の定格との差分電力よりも大きい定格であって、且つ、前記定格と当該差分電力との差が最も小さい電力変換器を使用して前記第２の蓄電池を充電する、
請求項２または請求項３に記載の電力制御装置。
【請求項５】
前記第１の蓄電池には、前記第１の充電用電力変換器を含む、定格が異なる複数の電力変換器が接続され、
前記記憶部は、さらに、前記電力変換器への入力電力に対する変換効率を示す効率特性を前記第１の蓄電池に接続されている各電力変換器について記憶し、
前記充電制御部は、前記複数の電力変換器の中で、前記第１の蓄電池に充電させる電力に対応する変換効率が最も高くなる電力変換器を、前記第１の充電用電力変換器として選択する、
請求項１に記載の電力制御装置。
【請求項６】
前記第２の蓄電池には、定格が異なる複数の電力変換器が接続され、
前記記憶部は、さらに、前記効率特性を前記第２の蓄電池に接続されている各電力変換器について記憶し、
前記充電制御部は、前記第１の充電用電力変換器の定格が前記目標値よりも小さい場合は、前記第２の蓄電池に接続された前記複数の電力変換器の中で、前記目標値と前記第１の充電用電力変換器の定格との差分電力に対応する変換効率が最も高くなる電力変換器を使用して前記第２の蓄電池を充電する、
請求項５に記載の電力制御装置。
【請求項７】
前記蓄電池の健康状態に関する情報は、ＳＯＨ（Ｓｔａｔｅ  ｏｆ  Ｈｅａｌｔｈ）で示され、
前記第１の蓄電池のＳＯＨよりも、前記第２の蓄電池のＳＯＨが、高い値で示される、
請求項１乃至請求項６のいずれか１項に記載の電力制御装置。
【請求項８】
第１の蓄電池および第２の蓄電池を含む複数の蓄電池の充電を制御する電力制御装置の電力制御方法であって、
前記電力制御装置は、
前記複数の蓄電池に充電させる電力の目標値を取得し、
各蓄電池の健康状態に関する情報を取得し、
前記第１の蓄電池の方が前記第２の蓄電池よりも健康状態が悪い場合、前記第１の蓄電池の充電に使用する第１の充電用電力変換器の定格と前記目標値とを比較し、前記第１の充電用電力変換器の定格が前記目標値よりも大きい場合は前記目標値に相当する電力を全て前記第１の蓄電池に充電させ、前記第１の充電用電力変換器の定格が前記目標値よりも小さいときは、前記目標値のうちで前記第１の充電用電力変換器の定格に相当する電力を前記第１の蓄電池に充電させ、前記第１の充電用電力変換器の定格を上回る分の電力を、前記第２の蓄電池に充電させる
電力制御方法。
【請求項９】
第１の蓄電池および第２の蓄電池を含む複数の蓄電池と、
前記複数の蓄電池に充電させる電力の目標値を取得する第１の取得部と、
各蓄電池の健康状態に関する情報を取得する第２の取得部と、
前記複数の蓄電池それぞれに対応して設けられ、外部から供給される電力を所定の電力に調整し、対応する蓄電池に前記所定の電力を充電する複数の電力変換器と、
各電力変換器の定格情報を記憶する記憶部と、
前記第１の蓄電池の方が前記第２の蓄電池よりも健康状態が悪い場合、前記複数の電力変換器の内の前記第１の蓄電池の充電に使用する第１の充電用電力変換器の定格と前記目標値とを比較し、前記第１の充電用電力変換器の定格が前記目標値よりも大きいときは、前記目標値に相当する電力を全て前記第１の蓄電池に充電させ、前記第１の充電用電力変換器の定格が前記目標値よりも小さいときは、前記目標値のうちで前記第１の充電用電力変換器の定格に相当する電力を前記第１の蓄電池に充電させ、前記第１の充電用電力変換器の定格を上回る分の電力を、前記第２の蓄電池に充電させる充電制御部と、を備える
蓄電池ユニット。
【請求項１０】
第１の蓄電池および第２の蓄電池を含む複数の蓄電池に放電させる電力の目標値を取得する第１の取得部と、
各蓄電池の健康状態に関する情報を取得する第２の取得部と、
蓄電池から供給される電力を所定の電力に調整して外部に前記所定の電力を放電する電力変換器の定格情報を記憶する記憶部と、
前記第１の蓄電池の方が前記第２の蓄電池よりも健康状態が悪い場合、前記第１の蓄電池の放電に使用する第１の放電用電力変換器の定格と前記目標値とを比較し、前記第１の放電用電力変換器の定格が前記目標値よりも大きい場合は前記目標値に相当する電力を全て前記第１の蓄電池から放電させ、前記第１の放電用電力変換器の定格が前記目標値よりも小さい場合は、前記目標値のうちで前記第１の放電用電力変換器の定格に相当する電力を前記第１の蓄電池から放電させ、前記第１の放電用電力変換器の定格を上回る分の電力を、前記第２の蓄電池から放電させる放電制御部と、を備える
電力制御装置。
【請求項１１】
第１の蓄電池および第２の蓄電池を含む複数の蓄電池の充電を制御する電力制御装置に実行させるプログラムであって、
前記複数の蓄電池に充電させる電力の目標値を取得し、
各蓄電池の健康状態に関する情報を取得し、
前記第１の蓄電池の方が前記第２の蓄電池よりも健康状態が悪い場合、前記第１の蓄電池の充電に使用する第１の充電用電力変換器の定格と前記目標値とを比較し、前記第１の充電用電力変換器の定格が前記目標値よりも大きい場合は前記目標値に相当する電力を全て前記第１の蓄電池に充電させ、前記第１の充電用電力変換器の定格が前記目標値よりも小さいときは、前記目標値のうちで前記第１の充電用電力変換器の定格に相当する電力を前記第１の蓄電池に充電させ、前記第１の充電用電力変換器の定格を上回る分の電力を、前記第２の蓄電池に充電させる
処理を前記電力制御装置に実行させるプログラム。
【請求項１２】
第１の蓄電池および第２の蓄電池を含む複数の蓄電池に充電させる電力の目標値を取得する第１の取得部と、
各蓄電池の健康状態に関する情報を取得する第２の取得部と、
外部から供給される電力を所定の電力に調整して前記所定の電力を蓄電池に充電する電力変換器の定格情報を記憶する記憶部と、
前記第１の蓄電池の方が前記第２の蓄電池よりも健康状態が悪い場合、前記第１の蓄電池の充電に使用する第１の充電用電力変換器の定格と前記目標値とを比較し、前記第１の充電用電力変換器の定格が前記目標値よりも大きいときは、前記目標値に相当する電力を全て前記第１の蓄電池に充電させ、前記第１の充電用電力変換器の定格が前記目標値よりも小さいときは、前記目標値のうちで前記第１の充電用電力変換器の定格に相当する電力を前記第１の蓄電池に充電させ、前記目標値と第１の充電用電力変換器の定格との差分電力を前記第２の蓄電池に充電させる充電制御部と、を備える
集積回路。
【国際調査報告】
2012132397.tif 000040
2012132397.tif 000041
2012132397.tif 000042
2012132397.tif 000043